(57)【特許請求の範囲】
【請求項１】
木質基材の裏面側に線状ヒーターあるいは面状ヒーターである電気発熱体と、電気的接続用のヒーターパネル側コネクタと、を少なくとも備えた電気式床暖房フロア用の複数のヒーターパネルと共に用いる配線ケーブルであって、
前記配線ケーブルは、複数の前記ヒーターパネル側コネクタに電気的に接続される配線ケーブル本体と、該配線ケーブル本体を位置決めするための２枚の積層された長尺状の基材シートと、を備えており、
一方の基材シートにはケーブル収容溝が形成されており、
配線ケーブル本体は前記２枚の積層された長尺状の基材シートの間に挟持されてかつ前記ケーブル収容溝に収容されることによって、前記ケーブル本体が収容された基材シートを前記複数のヒーターパネルに隣接して配置したときに、前記各ヒーターパネル側コネクタに対して電気的接続が可能な配線パターンに、前記配線ケーブル本体が位置決めされていることを特徴とする配線ケーブル。
【請求項２】
前記配線ケーブル本体は、前記各ヒーターパネル側コネクタに電気的接続をするための配線ケーブル側コネクタに電気的に接続されており、
前記ケーブル収容溝が形成された一方の基材シートには、前記各配線ケーブル側コネクタを収容するための箱型収容溝が形成されていることを特徴とする請求項１に記載の配線ケーブル。
【請求項３】
前記配線ケーブル本体は、前記各ヒーターパネル側コネクタに電気的接続をするための配線ケーブル側コネクタに電気的に接続されており、
該配線ケーブル側コネクタは、前記２枚の積層された長尺状の基材シートから露出していることを特徴とする請求項１に記載の配線ケーブル。
【請求項４】
前記各基材シートは、多数の貫通孔を有しており、前記２枚の基材シートを積層したときに、各貫通孔が一致するように、各基材シートは構成されていることを特徴とする請求項１〜３のいずれかに記載の配線ケーブル。
【請求項５】
床下地面に裏面に発熱体を備えた複数枚のヒーターパネルを直貼り施工する電気式床暖房フロアの施工方法であって、
床下地面上に直貼りされたヒーターパネル群の一方の側辺に沿って、請求項１〜４のいずれか１項に記載の配線ケーブルを、その基材シートがヒーターパネルの側辺と平行な方向となるようにして、床下地上に配置する工程と、
配置した配線ケーブルの前記位置決めされた配線パターンに対応した形状の凹溝を裏面に有する配線パネルをその凹溝内に配線ケーブルを収容するようにして基材シートの上に配置し固定する工程と、
を少なくとも備えることを特徴とする電気式床暖房フロアの施工方法。
【発明の詳細な説明】
【技術分野】
【０００１】
本発明は、発熱体として線状ヒーターあるいはＰＴＣヒーターのような面状ヒーターを備えたヒーターパネルを用いて電気式床暖房フロアを施工するときに用いる配線ケーブルと、それを用いた電気式床暖房フロアの施工方法に関する。
【背景技術】
【０００２】
木質基材の裏面側に線状ヒーターや面状ヒーターを組み込んだヒーターパネルを用い、それをコンクリートスラブのような床下地面に直貼りして電気式床暖房フロアとすることが行われている。直貼り式の電気式床暖房フロアでは、商用電源からヒーターパネルに電気を供給するのに格別の工夫を必要とする。その一例が特許文献１あるいは特許文献２に記載されており、そこでは、ヒーターパネルに取り付けたコネクタを商用電源に接続するために特別の配線ケーブルを用いている。施工に当たって、配線ケーブルの一端側をヒーターパネルのコネクタに接続しながら、配線ケーブルをコンクリートスラブである床下地面上に走らせ、その上から、裏面に凹溝を有する周辺パネル（配線パネル）を、当該凹溝内に配線した配線ケーブルを収容しながらコンクリートスラブに貼り付けるようにしている。
【０００３】
図７は、そこで用いられる配線ケーブル４０であり、図７（ａ）に示すように、電源線４１と複数個のコネクタ４２から構成される。最先端のコネクタ４２ａを除き、他のコネクタ４２は枝分かれした分岐線４１ａの先端に取り付けられている。電源線４１の他方端は、図７（ａ）には示されない壁面に取り付けたコントローラ等を介して商用電源に接続され、各コネクタ４２は直貼りしたヒーターパネルのコネクタに接続される。通常、配線ケーブル４０は、図７（ｂ）に示すように巻き込んだ状態で梱包されて施工現場に持ち込まれ、そこで、図７（ａ）に示すように広げた状態とされる。
【０００４】
【特許文献１】特開２００５−１０６３０１号公報
【特許文献２】特開２００６−８３５６８号公報
【発明の開示】
【発明が解決しようとする課題】
【０００５】
図７に示したような配線ケーブルを用いることにより、コンクリートスラブのような床下地面上に直貼りしたヒーターパネルを商用電源に電気的に接続する作業を容易に行うことができる。しかし、床下地面上に配線した配線ケーブルの上から、裏面に凹溝を有する配線パネルを、その凹溝内に配線ケーブルを収容しながら確実に配置していくためには、床下地面上での配線ケーブルの位置決め作業を慎重にかつ精度よく行う必要がある。そのために、配線予定位置に墨打ちを行う作業、墨打ち線に沿って仮配線した配線ケーブルをテープで固定する作業等を必要としている。
【０００６】
そのような作業を省略すると、配線ケーブルの位置決めが不正確となり、配線パネルの配線溝（凹溝）から配線ケーブルがはみ出てしまい、段差や踏感不都合が発生する恐れがある。このことは、長い電源線に多数個のコネクタを取り付けた配線ケーブルでは特に起こりやすい。さらに、配線ケーブルは巻き込んだ状態で梱包されて施工現場に持ち込まれることから、施工時に、施工現場で開梱したときに、長い電源線に残っている巻き癖を取り去ることは容易でない。それらのことから、施工現場での配線ケーブルの配線作業には、慎重かつ長時間の作業を要しているのが現状である。
【０００７】
配線作業を容易かつ迅速化するための手段として、前記特許文献２には、別部材である配線ケーブルの位置決め用治具を用いることが提案されているが、それぞれの施工現場に応じて、この種の治具を準備することが必要となる。
【０００８】
本発明は、上記のような事情に鑑みてなされたものであり、コンクリートスラブのような床下地面上に、裏面に発熱体を備えた複数枚のヒーターパネルを直貼りして電気式床暖房フロアを構築する作業を、より容易にかつ迅速に行いうるようにした、さらに改良された配線ケーブル、およびそれを用いた電気式床暖房フロアの施工方法を提供することを課題とする。
【課題を解決するための手段】
【０００９】
本発明による配線ケーブルは、木質基材の裏面側に線状ヒーターあるいは面状ヒーターである電気発熱体と電気的接続用のコネクタを少なくとも備えた電気式床暖房フロア用のヒーターパネルと共に用いる配線ケーブルであって、前記配線ケーブルは長尺状の基材シートに対して所定の配線パターンに位置決めされている部分を有していることを特徴とする。
【００１０】
また、本発明による電気式床暖房フロアの施工方法は、床下地面に裏面に発熱体を備えた複数枚のヒーターパネルを直貼り施工する電気式床暖房フロアの施工方法であって、床下地面上に直貼りされたヒーターパネル群の一方の側辺に沿って、上記した配線ケーブルを、その基材シートがヒーターパネルの側辺と平行な方向となるようにして、床下地上に配置する工程と、配置した配線ケーブルの前記位置決めされた配線パターンに対応した形状の凹溝を裏面に有する配線パネルをその凹溝内に配線ケーブルを収容するようにして基材シートの上に配置し固定する工程と、を少なくとも備えることを特徴とする。
【００１１】
上記本発明による配線ケーブルでは、施工時に床下地上で所定パターンに位置決めしながら配線しなければならない部分は、あらかじめ基材シートに対してその所定のパターンに沿って位置決めされ固定されている。従って、施工現場では、基材シートを床下地上の所要の場所に展開していくことにより、容易にかつ短時間で、配線ケーブルの配設作業を終えることができる。
【００１２】
上記本発明による電気式床暖房フロアの施工方法では、上記した配線ケーブルを用いるので、床下地上への配線ケーブルの配置作業を容易にかつ短時間で行うことができる。さらに、配線パネルとして、配置した配線ケーブルの前記位置決めされた配線パターンに対応した形状の凹溝を裏面に有する配線パネルを用いるので、配線パネルの配置作業も容易である。従って、電気式床暖房フロアの施工全体を所期どおりにかつ短時間で終えることができる。
【発明の効果】
【００１３】
本発明による配線ケーブルを用いることにより、床下地面に裏面に発熱体を備えた複数枚のヒーターパネルを直貼りして電気式床暖房フロアを施工する作業における、配線パネルを直貼りする作業を、より容易にかつ迅速に行うことができる。結果として、電気式床暖房フロアの施工全体を迅速化することができる。
【発明を実施するための最良の形態】
【００１４】
以下、図面を参照しながら、本発明を実施の形態に基づき説明する。図１は本発明による配線ケーブルの一実施の形態を分解して示す図、図２と図３は図１に示す配線ケーブルの平面図と正面図、図４は本発明による配線ケーブルの使用態様を説明する図、図５は本発明による配線ケーブルを用いて施工した電気式床暖房フロアとその施工方法の一例を説明するための図、図６は本発明による配線ケーブルと共に用いるヒーターパネルの一例を説明する図である。
【００１５】
本発明による配線ケーブル１は、配線ケーブル本体２と、基材シート５，１０で構成される。図１に示す例では、配線ケーブル１は、配線ケーブル本体２と下基材シート５と上基材シート１０とからなる。配線ケーブル本体２は、電源線３と所定間隔で配置する複数個のコネクタ４を有し、各コネクタ４は後記するヒーターパネルＡのコネクタ２５に接続する。電源線３の他端側３ａは、コントローラを介して商用電源に接続する。
【００１６】
下基材シート５および上基材シート１０は、厚さ０．２〜０．５ｍｍ程度の長尺状の樹脂フィルムであり、２枚のシート５，１０を積層したときに対向する箇所には、多数の貫通孔６が形成されている。樹脂フィルムの種類は、床暖房時の熱に対する耐性を備えることを条件に制限はないが、例として、塩化ビニル系の樹脂フィルム、ポリプロピレン系の樹脂フィルム等を挙げることができる。下基材シート５は平坦なシート状である。上基材シート１０も平坦なシート状であるが、一部に上記した配線ケーブル本体２の電源線３およびコネクタ４を収容するための凸溝１１が成形されている。図示の例で、前記凸溝１１は、コネクタ４を収容する複数個の箱形凸溝１２と、そこから縦方向に走る複数本の第１の直線状凸溝１３と、第１の直線状凸溝１３の後端から９０度に折れ曲って横方向に走る１本の第２の直線状凸溝１４とからなる。複数個の箱形凸溝１２は、前記配線ケーブル本体２に取り付けたコネクタ４を所定の配線パターンとしたとき間隔と同じ間隔で形成されている。また、この例で、複数本の第１の直線状凸溝１３は互いに平行であり、１本の第２の直線状凸溝１４の一方端は開放端１５となっている。図示しないが、前記したコネクタ４を収容する複数個の箱形凸溝１２を切除した形態の上基材シート１０を用いることもできる。
【００１７】
配線ケーブル１の製造に当たっては、上基材シート１０に一体成形した前記凸溝１１内に配線ケーブル本体２の電源線３と各コネクタ４を収容した状態とし、その上から、下基材シート５を、双方に形成した貫通孔６が一致するようにして、接着剤等を用いて一体に積層する。その際に、前記電源線３の他端側３ａは、第２の直線状凸溝１４に形成した開放端１５から外側に引き出しておく。
【００１８】
上記のようにして製造した配線ケーブル１の平面図が図２に、前記箱形凸溝１２側から見た正面図が図３に示される。図に示すように、配線ケーブル１は、長尺状の基材シート５，１０、特に上基材シート１０に一体成形した凸溝１１のパターンに従って所定の配線パターンに位置決めされた部分を有するようになり、電源線３の他端側３ａは基材シートの外側に延出している。なお、前記した箱形凸溝１２を切除した形態の上基材シート１０を用いる場合には、各コネクタ４は上基材シート１０から露出した状態となる。
【００１９】
この配線ケーブル１を使用するときの一態様を図４に基づき説明する。図４（ａ）において、電気式床暖房フロアにおいて用いられる同形態である３個のヒーターパネルＡａ，Ａｂ，ＡｃがコンクリートスラブＣ上で横方向に配列している。最初に、施工現場に搬入した前記配線ケーブル１を、コネクタ４側がヒーターパネルＡａ〜Ａｃ側となるようにして、床下地面であるコンクリートスラブＣの上に、ヒーターパネルＡａ〜Ａｃに沿って配置する。
【００２０】
次に、ヒーターパネルＡａ〜Ａｃの各コネクタ２５と配線ケーブル１側の各コネクタ４とを接続し、電源線３の他方端３ａを、図４には示されない商用電源のコネクタ等に接続する。前記した箱形凸溝１２を切除した形態の上基材シート１０を用いる場合には、各コネクタ４は上基材シート１０から露出した状態となっており、ヒーターパネルＡａ〜Ａｃの各コネクタ２５との接続作業がし易くなる。
【００２１】
配線ケーブル１をコンクリートスラブＣ上に配線した後、図４（ｂ）に示す配線パネルＢ１、すなわち、配線ケーブル１の基材シートに一体成形した前記凸溝１１を収容することができるように、凸溝１１と同じパターンに裏面に凹溝３１を形成した配線パネルＢ１を、配線ケーブル１の上から貼り付ける。
【００２２】
この例において、配線パネルＢ１の裏面には、緩衝性のあるバッカー材３２が貼り付けてあり、前記凹溝３１はバッカー材３２を通過して形成される。また、貼り付けに当たっては、例えば、前記バッカー材３２の裏面に接着剤を塗布した後、配線ケーブル１の上から圧接する。塗布された接着剤は、基材シートに形成した貫通孔６を通過して、コンクリートスラブＣの表面に達することができる。それにより、床下地面であるコンクリートスラブＣに対する配線ケーブル１の固定と、配線パネルＢ１の固定を同時に行うことができる。
【００２３】
なお、実際の施工では、ヒーターパネルＡの横寸法とそのコネクタの位置が先行して定められているのが普通であり、それに応じて、施工現場で用いる配線ケーブル１の配線ケーブル本体２を構成する電源線３の長さや各コネクタ４の個数と位置が設定され、また、コンクリートスラブ上での配線パターンが決定される。従って、前記基材シート５，１０を作成に当たっては、そのようにして設定された配線パターンに応じて、凸溝１１の位置や形状、および貫通孔６の位置や形状が定められる。
【００２４】
上記のように、本発明による配線ケーブル１を用いることにより、従来のように、床下地面上で所定の箇所に位置決めしながら配線ケーブル本体２を配線していく作業が不要となり、施工現場では作業はきわめて容易となる。
【００２５】
なお、本発明による配線ケーブル１において、基材シート５，１０に貫通孔６を形成することを省略することもできる。その場合には、下基材シート５の裏面に両面粘着テープを貼り合わせるかまたは接着剤を塗布した後、床下地面上の所要位置に基材シートを配置し、その後、裏面に両面粘着テープを貼り合わせるかまたは接着剤を塗布した配線パネルＢ１を基材シートの上に貼り付ける。また、下基材シート５には、樹脂フィルムでなく不織布のようなシートを用いることもできる。図示しないが、下基材シート５の上に、印刷等により所要の配線パターンを予め書き込んでおき、それに従って、電源線３およびコネクタ４を配線してクリップやテープ等で仮止めすることによって、長尺状の基材シートに対する配線ケーブルの位置決めを行ってもよい。その際には、上基材シート１０を省略することもできる。
【００２６】
次に、本発明による電気式床暖房フロアの施工方法の一実施の形態をより詳細に説明する。図６は、そこで使用するヒーターパネルＡの一例を示す。図６（ａ）はバッカー材などを取り除いた状態の背面図、図６（ｂ）は断面図を示している。この例で、ヒーターパネルＡは、合板などである木質基材２１の裏面に一定パターンに線状ヒーター用の凹溝２２が形成され、そこにヒーター線２３が埋め込まれると共に、ヒーター線２３に電気的に接続する雄コネクタ２４、雌コネクタ２５がやはり木質基板２１の裏面に形成した切り込み部２６内に配置されている。また、サーモスタット２７が配置され、安全性を確保している。木質基材２１の裏面にはアルミ箔などからなる均熱層２８が形成され、かつ、バッカー材２９が積層される。均熱層２８は設けなくてもよい。前記配線パネルＢ１に積層したバッカー材３２とヒーターパネルＡに積層したバッカー材２９は、同じものであるとが望ましい。
【００２７】
各バッカー材は所要の緩衝性を有する材料で作ることができるが、不織布層と樹脂発泡体層との２層構成とされたバッカー材を前記不織布層が木質基材の裏面側に面するようにして貼り付け積層することは、特に好ましい。この場合、緩衝性能および遮音性能は主に柔らか不織布層により担保され、樹脂発泡体層はもっぱら断熱材としての機能を果たす。不織布層の一例としてポリエチレン繊維製の不織布が挙げられ、樹脂発泡体層の一例としてＰＥＴの発泡体が挙げられる。
【００２８】
電気式床暖房フロアを施工するに当たっては、図５（ａ）に示すように、床下地面である例えばコンクリートスラブＣの上に、貼り出し用ヒーターパネルＡ１とヒーターパネルＡ、および周辺パネルＢを直貼りする。なお、貼り出し用ヒーターパネルＡ１は、図６に示したヒーターパネルＡから一方のコネクタを除去したものであり、周辺パネルＢは、ヒーター線２３を有しないパネルである。より具体的には、一方の壁面の周辺パネルＢを貼り、次に、貼り出し用ヒーターパネルＡ１を取り付け、以下、必要枚数のヒーターパネルＡを多段に貼り付ける。その両辺にも周辺パネルＢを貼り付ける。なお、この例では、伝熱面は２つの区分に分けられており、最下段、すなわち電気式床暖房フロアの一方の側辺には、２つのヒーターパネルＡａ、Ａｂが各伝熱区分への電流取り入れ部として配置してある。このヒーターパネルＡａ、Ａｂが、図４に基づき説明したヒーターパネルＡａ，Ａｂに相当する。
【００２９】
２つのヒーターパネルＡａ、Ａｂに商用電源から電気を供給するために、図１〜図３に示した配線ケーブル１を用いる。この例では、電気式床暖房フロアの一方の側辺に位置するヒーターパネルはヒーターパネルＡａ、Ａｂの２個であり、従って、３個でなく２個のコネクタ４を備えた配線ケーブル１を用いる。
【００３０】
図４においても説明したように、ヒーターパネルＡａ、Ａｂに沿って、配線ケーブル１の基材シートの部分を床下地面（コンクリートスラブＣ）の上に置き、ヒーターパネルＡａおよびヒーターパネルＡｂに取り付けたコネクタ１５ａ，１５ｂと配線ケーブル１のコネクタ４，４を接続する。その状態で、図５（ｂ）に示すように、電源線３の他端側３ａを、コントロールボックス３４が位置する壁まで案内し、壁裏面を通してリレーボックス３５に接続する（図５（ａ）参照）。
【００３１】
次に、前記したようにして、配線パネルＢ１を、その裏面に形成した凹溝３１内に、配線ケーブル１の前記上基材シート１０に形成した凸溝１１を収容するようにして、配線ケーブル１の上から貼り付ける。それにより、現場での施工は終了し、図５（ａ）に示す電気式床暖房フロアが完成する。上記のように、本発明による配線ケーブル１では、基材シートにより、配線ケーブル本体２を構成する電源線３およびコネクタ４の位置決めは確実に行われており、配線パネルＢ１の貼り付け作業はきわめて容易である。なお、図５では、ヒーターパネルＡや配線パネルＢ１等を矩形状のものとしているが、これは図示を簡素化するためであり、図４に示すような、雁木状とされたヒーターパネルＡや配線パネルＢ１等を用いる場合も、施工作業は同じである。
【００３２】
なお、上記の説明では、最下段のヒーターパネルＡａ、Ａｂに対向する配線パネルＢ１にのみ裏面に凹溝３１を形成したが、他の箇所の周辺パネルＢにも裏面に凹溝３１を形成しておいてもよい。それにより、施工現場で突然コントロールボックス３４やリレーボックス３５の取り付け位置が変更されるような場合、あるいは、ヒーターパネルＡの貼り付け方向を変更するような場合、などにおいて、配線ケーブル１の走る方向がその場で変更することとなるが、それに対する対処も容易となる。
【図面の簡単な説明】
【００３３】
【図１】本発明による配線ケーブルの一実施の形態を分解して示す図。
【図２】図１に示す配線ケーブルの平面図。
【図３】図１に示す配線ケーブルの正面図。
【図４】本発明による配線ケーブルの使用態様を説明する図。
【図５】本発明による配線ケーブルを用いて施工した電気式床暖房フロアとその施工方法の一例を説明するための図。
【図６】本発明による配線ケーブルと共に用いるパネルヒータの一例を説明する図。
【図７】従来の配線ケーブルの一例を示す図。
【符号の説明】
【００３４】
Ａ…ヒータパネル、Ａ１…貼り出し用ヒーターパネル、Ａａ、Ａｂ…電気式床暖房フロアの一方の側辺に位置するヒーターパネル、Ｂ…周辺パネル、Ｂ１…配線パネル、１…配線ケーブル、２…配線ケーブル本体、３…電源線、３ａ…電源線の他端側、４…コネクタ、５…下基材シート，６…貫通孔、１０…上基材シート、１１…上基材シートに成形した凸溝、１２…箱形凸溝、１３…第１の直線状凸溝、１４…第２の直線状凸溝、１５……第２の直線状凸溝の開放端、２１…木質基材、２２…線ヒーター用の凹溝、２３…線ヒーター、２４…雄コネクタ、２５…雌コネクタ、２６…切り込み部、２７…サーモスタット、２９…バッカー材、３１…配線パネルの裏面に形成した凹溝、３２…配線パネルのバッカー材、３４…コントロールボックス、３５…リレーボックス
【図１】
0005215034.tif 000002
【図２】
0005215034.tif 000003
【図３】
0005215034.tif 000004
【図４】
0005215034.tif 000005
【図５】
0005215034.tif 000006
【図６】
0005215034.tif 000007
【図７】
0005215034.tif 000008